(57)【特許請求の範囲】
【請求項１】
一対の基板間に電気泳動粒子を含む電気泳動素子を狭持し、少なくとも第１色と第２色を表示可能な画素からなる表示部を含む電気泳動表示装置の駆動方法であって、
前記表示部の所与の領域の内部で前記電気泳動素子に電圧を印加することにより所与の視覚表現の書き換えを行う、部分書き換え工程と、
前記部分書き換え工程が所与の回数繰り返された後に、前記部分書き換え工程で印加された電圧の非対称性を解消する、非対称性解消工程と、を含み、
前記部分書き換え工程は、
前記所与の視覚表現を形成する画素である視覚表現形成画素を前記第１色で表示する、部分書き込み工程と、
前記視覚表現形成画素を前記第２色で表示する、部分消去工程と、
前記所与の領域の内部で固定画像を構成する画素を前記第２色で表示する、残像消去工程と、を含み、
前記非対称性解消工程は、
前記表示部の全ての領域で前記電気泳動素子に電圧を印加する全面駆動を行い、前記所与の領域を前記第１色で表示する、第１全面書き込み工程と、
前記第１全面書き込み工程の後に、前記部分書き換え工程で消去された前記固定画像を構成する画素を前記第１色で表示する処理を前記所与の回数繰り返す、残像消去対称化工程と、
前記残像消去対称化工程の後に、前記全面駆動を行い、前記所与の領域を前記第２色で表示する、第２全面書き込み工程と、を含み、
前記第２全面書き込み工程の後に、再び前記部分書き換え工程を行う、電気泳動表示装置の駆動方法。
【請求項２】
請求項１に記載の電気泳動表示装置の駆動方法において、
前記所与の領域に表示される前記視覚表現の全てを包含する閉じた図形を前記固定画像とする、電気泳動表示装置の駆動方法。
【請求項３】
請求項１に記載の電気泳動表示装置の駆動方法において、
前記所与の領域に表示される前記視覚表現の全てについて、前記視覚表現の輪郭を形成している輪郭形成画素と、前記輪郭形成画素と隣接する画素のうち前記視覚表現形成画素以外の画素である背景境界画素と、を合成した画素からなる画像を前記固定画像とする、電気泳動表示装置の駆動方法。
【請求項４】
請求項１乃至３のいずれかに記載の電気泳動表示装置の駆動方法において、
前記所与の回数は複数回である、電気泳動表示装置の駆動方法。
【請求項５】
電気泳動表示装置であって、
一対の基板間に電気泳動粒子を含む電気泳動素子を狭持し、少なくとも第１色と第２色を表示可能な画素からなる表示部と、
前記表示部を制御する制御部と、を含み、
前記制御部は、
前記表示部の所与の領域の内部で前記電気泳動素子に電圧を印加することにより所与の視覚表現の書き換えを行う、部分書き換え制御と、
前記部分書き換え制御を所与の回数繰り返した後に、前記部分書き換え制御で印加された電圧の非対称性を解消する、非対称性解消制御と、を行い、
前記部分書き換え制御において、
前記所与の視覚表現を形成する画素である視覚表現形成画素を前記第１色で表示する、部分書き込み制御と、
前記視覚表現形成画素を前記第２色で表示する、部分消去制御と、
前記所与の領域の内部で固定画像を構成する画素を前記第２色で表示する、残像消去制御と、を行い、
前記非対称性解消制御において、
前記表示部の全ての領域で前記電気泳動素子に電圧を印加する全面駆動を行い、前記所与の領域を前記第１色で表示する、第１全面書き込み制御と、
前記第１全面書き込み制御の後に、前記部分書き換え制御で消去された前記固定画像を構成する画素を前記第１色で表示する処理を前記所与の回数繰り返す、残像消去対称化制御と、
前記残像消去対称化制御の後に、前記全面駆動を行い、前記所与の領域を前記第２色で表示する、第２全面書き込み制御と、を行い、
前記第２全面書き込み制御の後に、再び前記部分書き換え制御を行う、電気泳動表示装置。
【請求項６】
請求項５に記載の電気泳動表示装置において、
前記制御部は、
前記所与の領域に表示される前記視覚表現の全てを包含する閉じた図形を前記固定画像とする、電気泳動表示装置。
【請求項７】
請求項５に記載の電気泳動表示装置において、
前記制御部は、
前記所与の領域に表示される前記視覚表現の全てについて、前記視覚表現の輪郭を形成している輪郭形成画素と、前記輪郭形成画素と隣接する画素のうち前記視覚表現形成画素以外の画素である背景境界画素と、を合成した画素からなる画像を前記固定画像とする、電気泳動表示装置。
【請求項８】
請求項５乃至７のいずれかに記載の電気泳動表示装置を含む電子機器。
【請求項９】
請求項５乃至７のいずれかに記載の電気泳動表示装置を含む電子時計であって、
前記表示部は、
少なくとも、時桁と分桁を含む時刻表示を行い、
前記制御部は、
前記部分書き換え制御において、前記時刻表示の前記分桁を前記所与の視覚表現とする、電子時計。
【請求項１０】
請求項９に記載の電子時計であって、
前記制御部は、
前記残像消去対称化制御を１０分に１回行う、電子時計。
【請求項１１】
請求項９に記載の電子時計であって、
前記制御部は、
前記残像消去対称化制御を１日に１回行う、電子時計。
【発明の詳細な説明】
【技術分野】
【０００１】
本発明は、電気泳動表示装置の駆動方法、電気泳動表示装置、及び電子機器等に関する。
【背景技術】
【０００２】
近年、電源を切っても画像を保持できるメモリー性を有する表示パネルが開発され、電子時計等にも使用されている。メモリー性を有する表示パネルとしては、ＥＰＤ（Electrophoretic Display）すなわち電気泳動表示装置や、メモリー性液晶表示装置等が知られている。
【０００３】
電気泳動表示装置においてはＤＣバランスをとること、すなわち電極間に印加される電界の時間平均をほぼゼロにすることが要求される。特許文献１は、ＤＣバランスが崩れた場合に装置の動作寿命が短くなる可能性を指摘する。つまり、電気泳動表示装置の長期信頼性を確保するためにはＤＣバランスをとって駆動制御を行うことが必要となる。
【先行技術文献】
【特許文献】
【０００４】
【特許文献１】特表２００５−５３０２０１号公報
【発明の概要】
【発明が解決しようとする課題】
【０００５】
電気泳動表示装置では、応答速度を速めるために、表示部の全体を描画する全面駆動だけでなく書き換え対象である一部のみを描画する部分駆動が行われることがある。例えば、表示された画像を構成する画素だけを部分駆動して、その画像を消去する工程が行なわれる。このとき、書き換え対象である一部の画素と背景である画素との間に斜め方向の電界が生じていて、輪郭部分が膨らんだ画像が表示されているために、画像の輪郭に沿って残像が生じることがある。表示画像の見映えをよくするために、電気泳動表示装置の駆動制御において残像を消去する工程が含まれることが好ましい。
【０００６】
このとき、残像を消去する工程で印加される電界についてもＤＣバランスをとる必要が生じる。そして、そのためのデータを取得、転送する過程において処理時間、電力を使うことになる。その結果、電気泳動表示装置の応答速度の低下や消費電力の増大といった問題を生じる可能性がある。
【０００７】
本発明はこのような問題点に鑑みてなされたものである。本発明のいくつかの態様によれば、応答速度の低下や消費電力の増大といった問題を生じることなく、ＤＣバランスのとれた輪郭部分の残像消去を行う電気泳動表示装置の駆動方法、電気泳動表示装置、及び電子機器等を提供することができる。
【課題を解決するための手段】
【０００８】
（１）本発明は、一対の基板間に電気泳動粒子を含む電気泳動素子を狭持し、少なくとも第１色と第２色を表示可能な画素からなる表示部を含む電気泳動表示装置の駆動方法であって、前記表示部の所与の領域の内部で前記電気泳動素子に電圧を印加することにより所与の視覚表現の書き換えを行う、部分書き換え工程と、前記部分書き換え工程が所与の回数繰り返された後に、前記部分書き換え工程で印加された電圧の非対称性を解消する、非対称性解消工程と、を含み、前記部分書き換え工程は、前記所与の視覚表現を形成する画素である視覚表現形成画素を前記第１色で表示する、部分書き込み工程と、前記視覚表現形成画素を前記第２色で表示する、部分消去工程と、前記所与の領域の内部で固定画像を構成する画素を前記第２色で表示する、残像消去工程と、を含み、前記非対称性解消工程は、前記表示部の全ての領域で前記電気泳動素子に電圧を印加する全面駆動を行い、前記所与の領域を前記第１色で表示する、第１全面書き込み工程と、前記第１全面書き込み工程の後に、前記部分書き換え工程で消去された前記固定画像を構成する画素を前記第１色で表示する処理を前記所与の回数繰り返す、残像消去対称化工程と、前記残像消去対称化工程の後に、前記全面駆動を行い、前記所与の領域を前記第２色で表示する、第２全面書き込み工程と、を含み、前記第２全面書き込み工程の後に、再び前記部分書き換え工程を行う。
【０００９】
本発明によれば、部分書き換え工程で生じた印加電界の非対称性を、非対称性解消工程を行うことで解消し、ＤＣバランスをとることができる。ＤＣバランスをとることで、長期信頼性の高い電気泳動表示装置を提供できる。部分書き換え工程には、所与の視覚表現の輪郭に沿った残像を消去する残像消去工程が含まれており、残像を消去できるため視認性のよい電気泳動表示装置を提供できる。
【００１０】
本発明の残像消去工程（部分書き換え工程の１つの工程）においては、どの視覚表現を表示した場合でも、固定画像を用いて残像の消去を行う。そして、残像消去対称化工程（非対称性解消工程の１つの工程）においても、この固定画像を用いて残像消去工程で生じた印加電界の非対称性を解消する。これらの工程において、視覚表現ごとに異なる画像を用いることも可能である。しかし、その場合には、視覚表現ごとに異なる画像のデータを全て記憶するための記憶容量を必要とし、記憶部にアクセスする時間を要し、当該画像のデータを転送することで電力を消費する。本発明では、１つの固定画像のデータを保存するための記憶容量を用意すればよい。また、記憶部へのアクセスは１度でよく、１つの固定画像のデータを１度転送するだけなので消費電力の増加を抑制できる。残像消去対称化工程が複数回数繰り返された場合であっても、記憶部へのアクセスは１度だけでよく、応答速度の低下や消費電力の増大といった問題を生じることはない。なお、固定画像は、表示部の所与の領域の内部で表示され得る全ての視覚表現の輪郭部分（視覚表現の輪郭を含み残像として残り得る部分）を包含するような画像である。
【００１１】
ここで、第１色と第２色とは、電気泳動表示装置が最低限表示可能な基本色である２色である。例えば、二粒子系マイクロカプセル型の電気泳動方式では、分散液は無色透明、電気泳動粒子は白色又は黒色のものがある。この方式の電気泳動表示部は、白色又は黒色の２色を基本色として少なくとも２色を表示可能である。このとき、第１色として電気泳動粒子の１つの色である黒色を割り当て、第２色として白色を割り当ててもよい。逆に、第１色として白色を、第２色として黒色を割り当ててもよい。なお、表示部における所与の領域とは、部分駆動によって所与の視覚表現の書き換えが行われ得る領域をいう。また、所与の視覚表現とは、文字、数字、メッセージ、画像、図形、模様、記号等のいずれか、又はこれらの組み合わせ、一部であってもよい。
【００１２】
（２）この電気泳動表示装置の駆動方法において、前記所与の領域に表示される前記視覚表現の全てを包含する閉じた図形を前記固定画像としてもよい。
【００１３】
（３）この電気泳動表示装置の駆動方法において、前記所与の領域に表示される前記視覚表現の全てについて、前記視覚表現の輪郭を形成している輪郭形成画素と、前記輪郭形成画素と隣接する画素のうち前記視覚表現形成画素以外の画素である背景境界画素と、を合成した画素からなる画像を前記固定画像としてもよい。
【００１４】
これらの発明によれば、残像消去工程と残像消去対称化工程とで用いられる固定画像は、特定の閉じた図形として、又は輪郭形成画素と背景境界画素との集合として与えられる。固定画像は、例えば記憶部等に画像信号として記憶されていてもよい。
【００１５】
固定画像は、所与の領域に表示される視覚表現の輪郭形成画素と背景境界画素とを全て包含するような閉じた図形であってもよい。ここでの閉じた図形とは、外周で閉じた図形を意味する。図形の内部および外周は単一色で表され、単一色とは第１色であってもよいし、第２色であってもよい。閉じた図形は、外周の画素の情報さえ記憶すれば、その内部は単一色である。従って固定画像を記憶するために必要な記憶容量を減らすことが可能である。また、閉じた図形として例えば正方形、長方形、その他の多角形の形状を選択することができる。この場合には頂点の画素の情報さえ記憶すればよいので、更に記憶容量を減らすことが可能である。
【００１６】
固定画像は、所与の領域に表示される視覚表現の全てについての輪郭形成画素と背景境界画素とを合成した画像、つまりこれらの画素の集合で表される画像であってもよい。輪郭形成画素とは視覚表現の輪郭を形成する画素であって、背景境界画素とは輪郭形成画素と隣接する背景の画素（視覚表現を形成しない画素）である。輪郭形成画素と背景境界画素は、部分駆動の際に生じる斜め方向の電界で残像となり得る。全ての視覚表現の輪郭形成画素と背景境界画素との集合で表される画像を固定画像とすれば、不必要に固定画像の範囲を広げることなく残像消去工程と残像消去対称化工程を適切に行うことができる。
【００１７】
（４）この電気泳動表示装置の駆動方法において、前記所与の回数は複数回であってもよい。
【００１８】
本発明によれば、部分書き換え工程を複数回繰り返した後に、非対称性解消工程に進む。非対称性解消工程においては、部分書き換え工程で生じた印加電界の非対称性についてまとめてＤＣバランスをとる。このとき、非対称性解消工程は部分書き換え工程と全く無関係な時間に１回だけ行われてもよい。例えば、電子時計などに電気泳動表示装置を使用した場合、部分書き換え工程（時刻表示の更新）の直後に非対称性解消工程を行うと、時刻表示とは関係のない不要なデータが視認される可能性があり、その場合には商品性が損なわれる恐れがある。本発明によれば、まず部分書き換え工程（時刻表示の更新）を連続して行い、その後にユーザーが視認することのない状況（例えば、不使用時）において非対称性解消工程が行われることを可能にする。これにより、電子時計などに適用した場合にも上記の商品性が損なわれることはなく、さらに、まとめてＤＣバランスをとるので全体の処理の効率が高まる。
【００１９】
このとき、残像消去対称化工程では記憶部から固定画像の情報をただ１度だけ読み出せばよい。そのため、記憶部へのアクセスに起因する処理時間の遅さや、消費電力の増大を避けることが可能になる。特に、部分書き換え工程を繰り返す回数が多い場合には、処理時間を短縮し消費電力を抑制する効果が大きい。
【００２０】
（５）本発明は、電気泳動表示装置であって、一対の基板間に電気泳動粒子を含む電気泳動素子を狭持し、少なくとも第１色と第２色を表示可能な画素からなる表示部と、前記表示部を制御する制御部と、を含み、前記制御部は、前記表示部の所与の領域の内部で前記電気泳動素子に電圧を印加することにより所与の視覚表現の書き換えを行う、部分書き換え制御と、前記部分書き換え制御を所与の回数繰り返した後に、前記部分書き換え制御で印加された電圧の非対称性を解消する、非対称性解消制御と、を行い、前記部分書き換え制御において、前記所与の視覚表現を形成する画素である視覚表現形成画素を前記第１色で表示する、部分書き込み制御と、前記視覚表現形成画素を前記第２色で表示する、部分消去制御と、前記所与の領域の内部で固定画像を構成する画素を前記第２色で表示する、残像消去制御と、を行い、前記非対称性解消制御において、前記表示部の全ての領域で前記電気泳動素子に電圧を印加する全面駆動を行い、前記所与の領域を前記第１色で表示する、第１全面書き込み制御と、前記第１全面書き込み制御の後に、前記部分書き換え制御で消去された前記固定画像を構成する画素を前記第１色で表示する処理を前記所与の回数繰り返す、残像消去対称化制御と、前記残像消去対称化制御の後に、前記全面駆動を行い、前記所与の領域を前記第２色で表示する、第２全面書き込み制御と、を行い、前記第２全面書き込み制御の後に、再び前記部分書き換え制御を行う。
【００２１】
本発明によれば、部分書き換え制御で生じた印加電界の非対称性を、非対称性解消制御を行うことで解消し、ＤＣバランスをとることができる。ＤＣバランスをとることで、長期信頼性の高い電気泳動表示装置を提供できる。ここで、部分書き換え制御には、所与の視覚表現の輪郭に沿った残像を消去する残像消去制御が含まれており、残像を消去できるため視認性のよい電気泳動表示装置を提供できる。
【００２２】
本発明の残像消去制御（部分書き換え制御の１つの制御）においては、どの視覚表現を表示した場合でも、固定画像を用いて残像の消去を行う。そして、残像消去対称化制御（非対称性解消制御の１つの制御）においても、この固定画像を用いて残像消去制御で生じた印加電界の非対称性を解消する。これらの制御において、視覚表現ごとに異なる画像を用いることも可能である。しかし、その場合には、視覚表現ごとに異なる画像を全て記憶するための記憶容量を必要とし、記憶部にアクセスする時間を要し、当該画像のデータを転送することで電力を消費する。本発明では、１つの固定画像を保存するための記憶容量を用意すればよく、記憶部へのアクセスは１度でよく、１つの固定画像のデータを１度転送するだけなので消費電力の増加を抑制できる。残像消去対称化制御が複数回数繰り返された場合であっても、記憶部へのアクセスは１度だけでよく、応答速度の低下や消費電力の増大といった問題を生じることはない。
【００２３】
（６）この電気泳動表示装置において、前記制御部は、前記所与の領域に表示される前記視覚表現の全てを包含する閉じた図形を前記固定画像としてもよい。
【００２４】
（７）この電気泳動表示装置において、前記制御部は、前記所与の領域に表示される前記視覚表現の全てについて、前記視覚表現の輪郭を形成している輪郭形成画素と、前記輪郭形成画素と隣接する画素のうち前記視覚表現形成画素以外の画素である背景境界画素と、を合成した画素からなる画像を前記固定画像としてもよい。
【００２５】
これらの発明によれば、残像消去制御と残像消去対称化制御とで用いられる固定画像は、特定の閉じた図形として、又は輪郭形成画素と背景境界画素との集合として与えられる。固定画像は、例えば記憶部等に画像信号として記憶されていてもよい。
【００２６】
固定画像は、所与の領域に表示される視覚表現の輪郭形成画素と背景境界画素とを全てを包含するような閉じた図形であってもよい。閉じた図形は、外周の画素の情報さえ記憶すれば、その内部は単一色である。従って固定画像を記憶するために必要な記憶容量を減らすことが可能である。また、閉じた図形として例えば正方形や長方形などの形状であれば、頂点の画素の情報さえ記憶すればよいので、更に記憶容量を減らすことが可能である。
【００２７】
固定画像は、所与の領域に表示される視覚表現の全てについての輪郭形成画素と背景境界画素とを合成した画像、つまりこれらの画素の集合で表される画像であってもよい。輪郭形成画素と背景境界画素は部分駆動の際に生じる斜め方向の電界で残像となり得るためである。このとき、不必要に固定画像の範囲を広げることなく残像消去制御と残像消去対称化制御を適切に行うことができる。
【００２８】
（８）本発明は、前記電気泳動表示装置を含む電子機器であってもよい。
【００２９】
本発明によれば、応答速度の低下や消費電力の増大を生じることなく、ＤＣバランスのとれた輪郭部分の残像消去を行う電気泳動表示装置を含む電子機器を提供できる。このとき、残像がないために電気泳動表示装置の視認性が向上し、ＤＣバランスがとられているために電気泳動表示装置の長期信頼性を得ることができる。
【００３０】
（９）本発明は、前記電気泳動表示装置を含む電子時計であって、前記表示部は、少なくとも、時桁と分桁を含む時刻表示を行い、前記制御部は、前記部分書き換え制御において、前記時刻表示の前記分桁を前記所与の視覚表現としてもよい。
【００３１】
本発明によれば、制御部は、表示が１分おきに変化する電子時計の分桁表示を対象として部分書き換え制御を行う。よって、残像がなく視認性のよい時刻表示を行う電子時計を提供することができる。
【００３２】
（１０）この電子時計において、前記制御部は、前記残像消去対称化制御を１０分に１回行ってもよい。
【００３３】
（１１）この電子時計において、前記制御部は、前記残像消去対称化制御を１日に１回行ってもよい。
【００３４】
これらの発明によれば、制御部は、１０分に１回だけ残像消去対称化制御を行うので、処理の効率がよい。さらに、効率を高めるために１日に１回だけ残像消去対称化制御を行ってもよい。
【図面の簡単な説明】
【００３５】
【図１】第１実施形態における電気泳動表示装置のブロック図。
【図２】第１実施形態における電気泳動表示装置の画素の構成例を示す図。
【図３】図３（Ａ）は電気泳動素子の構成例を示す図。図３（Ｂ）、図３（Ｃ）は電気泳動素子の動作の説明図。
【図４】図４（Ａ）〜図４（Ｃ）は、第１実施形態における部分駆動および残像消去の表示例を示す図、およびＹ−Ｙ線に沿って切断された断面図。
【図５】図５（Ａ）〜図５（Ｂ）は、輪郭形成画素と背景境界画素を説明するための図。
【図６】図６（Ａ）〜図６（Ｇ）は、固定画像を説明するための図。
【図７】第１実施形態における電気泳動表示装置の駆動方法のフローチャート。
【図８】図８（Ａ）、図８（Ｂ）は図７のサブルーチンのフローチャート。
【図９】図９（Ａ）は電子機器の一例である腕時計の図、図９（Ｂ）は電子機器の一例である電子ペーパーの図。
【図１０】図１０（Ａ）〜図１０（Ｊ）は、第２実施形態における電子時計の表示例を示す図。
【図１１】図１１（Ａ）〜図１１（Ｊ）は、比較例における電子時計の表示例を示す図。
【発明を実施するための形態】
【００３６】
以下、本発明の実施形態について図面を参照して説明する。なお、第２実施形態以降の説明において、第１実施形態と同様の構成については、同一符号を付し、説明を省略する。
【００３７】
１．第１実施形態
本発明の第１実施形態について図１〜図８を参照して説明する。
【００３８】
１．１．電気泳動表示装置
１．１．１．電気泳動表示装置の構成
図１は、本実施形態に係るアクティブマトリックス駆動方式の電気泳動表示装置１００のブロック図である。
【００３９】
電気泳動表示装置１００は、制御部６、記憶部１６０、表示部５を含む。制御部６は、表示部５を制御し、走査線駆動回路６１、データ線駆動回路６２、コントローラー６３、共通電源変調回路６４を含む。走査線駆動回路６１、データ線駆動回路６２，共通電源変調回路６４は、それぞれコントローラー６３と接続されている。コントローラー６３は、記憶部１６０から読み出される画像信号等や図外から供給される同期信号に基づいて、これらを総合的に制御する。なお、制御部６は記憶部１６０を含む構成であってもよい。例えば、記憶部１６０は、コントローラー６３に内蔵されたメモリーであってもよい。
【００４０】
ここで、記憶部１６０は、ＳＲＡＭ、ＤＲＡＭ、その他のメモリーであってもよく、少なくとも表示部５に表示させる画像のデータ（画像信号）を記憶している。また、記憶部１６０には、コントローラー６３によって制御に必要な情報が記憶される。制御に必要な情報とは、例えば残像消去工程Ｓ２４（図８（Ａ）参照）が実行された回数である。このとき、コントローラー６３は、その情報に基づいて残像消去対称化工程Ｓ６２（図８（Ｂ）参照）において対称化の処理を繰り返す回数を決定できる。
【００４１】
表示部５には、走査線駆動回路６１から延びる複数の走査線６６と、データ線駆動回路６２から延びる複数のデータ線６８とが形成されており、これらの交差位置に対応して複数の画素４０が設けられている。
【００４２】
走査線駆動回路６１は、ｍ本の走査線６６（Ｙ１、Ｙ２、…、Ｙｍ）により各画素４０に接続されている。走査線駆動回路６１は、コントローラー６３の制御に従って１行目からｍ行目までの走査線６６を順次選択することで、画素４０に設けられた駆動用ＴＦＴ４１（図２参照）のオンタイミングを規定する選択信号を供給する。
【００４３】
データ線駆動回路６２は、ｎ本のデータ線６８（Ｘ１、Ｘ２、…、Ｘｎ）により各画素４０に接続されている。データ線駆動回路６２は、コントローラー６３の制御に従って、画素４０のそれぞれに対応する１ビットの画像データを規定する画像信号を画素４０に供給する。なお、本実施形態では、画素データ「０」を規定する場合には、ローレベルの画像信号を画素４０に供給し、画像データ「１」を規定する場合には、ハイレベルの画像信号を画素４０に供給するものとする。
【００４４】
表示部５には、また、共通電源変調回路６４から延びる低電位電源線４９（Ｖｓｓ）、高電位電源線５０（Ｖｄｄ）、共通電極配線５５（Ｖｃｏｍ）、第１のパルス信号線９１（Ｓ１）、第２のパルス信号線９２（Ｓ２）が設けられており、それぞれの配線は画素４０と接続されている。共通電源変調回路６４は、コントローラー６３の制御に従って上記配線のそれぞれに供給する各種信号を生成する一方、これら各配線の電気的な接続及び切断（ハイインピーダンス化、Ｈｉ−Ｚ）を行う。
【００４５】
１．１．２．画素部分の回路構成
図２は、図１の画素４０の回路構成図である。なお、図１と同じ配線には同じ番号を付しており、説明は省略する。また、全画素に共通の共通電極配線５５については記載を省略している。
【００４６】
画素４０には、駆動用ＴＦＴ（Thin Film Transistor）４１と、ラッチ回路７０と、スイッチ回路８０が設けられている。画素４０は、ラッチ回路７０により画像信号を電位として保持するＳＲＡＭ（Static Random Access Memory）方式の構成をとる。
【００４７】
駆動用ＴＦＴ４１は、Ｎ−ＭＯＳトランジスタからなる画素スイッチング素子である。駆動用ＴＦＴ４１のゲート端子は走査線６６に接続され、ソース端子はデータ線６８に接続され、ドレイン端子はラッチ回路７０のデータ入力端子に接続されている。ラッチ回路７０は転送インバーター７０ｔと帰還インバーター７０ｆとを備えている。インバーター７０ｔ、７０ｆには、低電位電源線４９（Ｖｓｓ）と高電位電源線５０（Ｖｄｄ）から電源電圧が供給される。
【００４８】
スイッチ回路８０は、トランスミッションゲートＴＧ１、ＴＧ２からなり、ラッチ回路７０に記憶された画素データのレベルに応じて、画素電極３５（図３（Ｂ）、図３（Ｃ）参照）に信号を出力する。なお、Ｖａは、１つの画素４０の画素電極へ供給される電位（信号）を意味する。
【００４９】
ラッチ回路７０に画像データ「１」（ハイレベルの画像信号）が記憶されて、トランスミッションゲートＴＧ１がオン状態となると、スイッチ回路８０はＶａとして信号Ｓ１を供給する。一方、ラッチ回路７０に画像データ「０」（ローレベルの画像信号）が記憶されて、トランスミッションゲートＴＧ２がオン状態となると、スイッチ回路８０はＶａとして信号Ｓ２を供給する。このような回路構成により、制御部６はそれぞれの画素４０の画素電極に対して供給する電位（信号）を制御することが可能である。なお、画素４０の回路構成は一例であり、図２に示すものに限られない。
【００５０】
１．１．３．表示方式
本実施形態の電気泳動表示装置１００は、二粒子系マイクロカプセル型の電気泳動方式であるとする。分散液は無色透明、電気泳動粒子は白色又は黒色のものであるとすると、白色又は黒色の２色を基本色として少なくとも２色を表示できる。ここでは、電気泳動表示装置１００は、第１色として黒色を、第２色として白色を表示するものとして説明する。そして、黒（第１色）を表示している画素を白（第２色）で表示すること、又は白を表示している画素を黒で表示することを反転と表現する。
【００５１】
図３（Ａ）は、本実施形態の電気泳動素子３２の構成を示す図である。電気泳動素子３２は素子基板３０と対向基板３１（図３（Ｂ）、図３（Ｃ）参照）との間に挟まれている。電気泳動素子３２は、複数のマイクロカプセル２０を配列して構成される。マイクロカプセル２０は、例えば無色透明な分散液と、複数の白色粒子（電気泳動粒子）２７と、複数の黒色粒子（電気泳動粒子）２６とを封入している。本実施形態では、例えば白色粒子２７は負に帯電しており、黒色粒子２６は正に帯電しているとする。
【００５２】
図３（Ｂ）は、電気泳動表示装置１００の表示部５の部分断面図である。素子基板３０と対向基板３１は、マイクロカプセル２０を配列してなる電気泳動素子３２を狭持している。表示部５は、素子基板３０の電気泳動素子３２側に、複数の画素電極３５が形成された駆動電極層３５０を含む。図３（Ｂ）では、画素電極３５として画素電極３５Ａと画素電極３５Ｂが示されている。画素電極３５により、画素ごとに電位を供給することが可能である（例えば、Ｖａ、Ｖｂ）。ここで、画素電極３５Ａを有する画素を画素４０Ａとし、画素電極３５Ｂを有する画素を画素４０Ｂとする。画素４０Ａ、画素４０Ｂは画素４０（図１、図２参照）に対応する２つの画素である。
【００５３】
一方、対向基板３１は透明基板であり、表示部５において対向基板３１側に画像表示がなされる。表示部５は、対向基板３１の電気泳動素子３２側に、平面形状の共通電極３７が形成された共通電極層３７０を含む。なお、共通電極３７は透明電極である。共通電極３７は、画素電極３５と異なり全画素に共通の電極であり、電位Ｖｃｏｍが供給される。
【００５４】
共通電極層３７０と駆動電極層３５０との間に設けられた電気泳動表示層３６０に電気泳動素子３２が配置されており、電気泳動表示層３６０が表示領域となる。共通電極３７と画素電極（例えば、３５Ａ、３５Ｂ）との間の電位差に応じて、画素毎に所望の表示色を表示させることができる。
【００５５】
図３（Ｂ）では、共通電極側電位Ｖｃｏｍが画素４０Ａの画素電極の電位Ｖａよりも高電位である。このとき、負に帯電した白色粒子２７が共通電極３７側に引き寄せられ、正に帯電した黒色粒子２６が画素電極３５Ａ側に引き寄せられるため、画素４０Ａは白を表示していると視認される。
【００５６】
図３（Ｃ）では、共通電極側電位Ｖｃｏｍが画素４０Ａの画素電極の電位Ｖａよりも低電位である。このときは逆に、正に帯電した黒色粒子２６が共通電極３７側に引き寄せられ、負に帯電した白色粒子２７が画素電極３５Ａ側に引き寄せられるため、画素４０Ａは黒を表示していると視認される。なお、図３（Ｃ）の構成は図３（Ｂ）と同様であり説明は省略する。また、図３（Ｂ）、図３（Ｃ）ではＶａ、Ｖｂ、Ｖｃｏｍを固定された電位として説明したが、実際にはＶａ、Ｖｂ、Ｖｃｏｍは時間とともに電位が変化するパルス信号である。
【００５７】
１．２．電気泳動表示装置の駆動方法
１．２．１．輪郭部分の残像
電気泳動表示装置の駆動方法として、表示部の全体を描画する全面駆動だけでなく、書き換えを行う表示部の一部のみを描画する部分駆動が用いられることがある。電圧を印加する対象の画素数を減らすことで、書き換え時のレスポンスを早めることができる。
【００５８】
しかし、部分駆動を行った場合に、駆動されない画素（背景）との境界部分で斜め方向に電界が生じる。部分駆動によって表示された文字、数字、図形等を消去した場合に、斜め方向に生じた電界の影響によって、その文字、数字、図形等の輪郭部分が残像として視認されることがある。よって、部分駆動によって部分的な書き換えを行う場合（部分書き換え）には、輪郭部分の残像を消去する操作（残像消去）が必要である。
【００５９】
図４（Ａ）〜図４（Ｃ）は、それぞれ部分書き込み、部分消去、残像消去を行ったときの表示部５の表示例（左図）と断面図（右図）を示すものである。なお、図４（Ａ）〜図４（Ｃ）では表示部５において部分駆動が行われ得る所与の領域のうち６画素×６画素を抜き出して表示している。また、図４（Ａ）〜図４（Ｃ）の右図は、それぞれ左図のＹ−Ｙ線に沿った断面図であり、画素４０Ａ、４０Ｂを含む。図４（Ａ）〜図４（Ｃ）および図５（Ａ）〜図５（Ｂ）においては、表示部５のうち斜線で示された画素は、その画素が黒色で表示されていることを示す。表示部における所与の領域では、部分駆動によって所与の視覚表現の書き換えが行われる。なお、所与の視覚表現とは、文字、数字、メッセージ、画像、図形、模様、記号等のいずれか、又はこれらの組み合わせ、一部である。
【００６０】
図４（Ａ）〜図４（Ｃ）において、Ｖａ、Ｖｂはそれぞれ画素４０Ａの画素電極３５Ａ、画素４０Ｂの画素電極３５Ｂに供給される信号である。なお、画素４０Ａと画素４０Ｂは隣接しているものとする（図３（Ｂ）、図３（Ｃ）参照）。画素４０Ａと画素４０Ｂの回路構成も図２と同じであり、それぞれのラッチ回路に保持された画像データに応じて、Ｖａ、ＶｂとしてＳ１またはＳ２を出力する。Ｖｃｏｍは共通電源変調回路６４から共通電極３７に供給される信号である。それぞれの信号Ｖａ、Ｖｂ、Ｖｃｏｍは、ハイレベル（ＶＨ）、ローレベル（ＶＬ）、またはハイインピーダンス状態（Ｈｉ−Ｚ）をとり得るものとする。また、この例において、画素電極３５Ｂに供給される信号がＨｉ−Ｚである場合には、斜め方向に生じる電界以外は考慮しないものとする。
【００６１】
図４（Ａ）は、部分書き込みを行う場合を示している。表示部５には視覚表現として画像Ｐ１が書き込まれ、画素４０Ａはその輪郭を形成する画素（輪郭形成画素）の１つである。なお、画像Ｐ１を形成する黒色の１６画素（４画素×４画素）が視覚表現形成画素である。輪郭形成画素は、視覚表現形成画素の一部であって、背景との境界にある画素である。また、画素４０Ｂは背景に含まれる１つの画素であって、輪郭形成画素と隣接する画素（背景境界画素）の１つである。右図を見ると、画素電極３５Ａ（Ｖａ）の電位はＶＨであり、画素４０Ａは黒色で表示される。一方、画素電極３５Ｂ（Ｖｂ）は例えばハイインピーダンス状態であり、画素４０Ｂは背景色である白色の表示を保つ。
【００６２】
ここで、図５（Ａ）〜図５（Ｂ）を用いて、画像Ｐ１における輪郭形成画素Ｒ３と背景境界画素Ｒ４を説明する。図５（Ａ）のように、輪郭形成画素Ｒ３は画像Ｐ１の輪郭を形成する黒色の１２画素である。そのうちの１つが画素４０Ａである。図５（Ｂ）のように、背景境界画素Ｒ４は輪郭形成画素Ｒ３と隣接する背景（白色）の１６画素であって、そのうち１つが画素４０Ｂである。なお、隣接とは本実施形態では水平、垂直方向だけであるが、斜め方向を含むとしてもよい。例えば、図５（Ｂ）において、画素４０Ｖ、画素４０Ｗ、画素４０Ｘ、画素４０Ｙが背景境界画素に含まれるとしてもよい。
【００６３】
図４（Ｂ）は、部分消去を行う場合を示している。部分書き込みで書き込まれた画像Ｐ１を形成する画素（視覚表現形成画素）を白色で表示することで部分消去を行う。画素電極３５Ａ（Ｖａ）の電位はＶＬであり、画素４０Ａは白色となる。このとき、輪郭形成画素とそれに隣接するハイインピーダンス状態（Ｈｉ−Ｚ）の背景境界画素との間で斜め方向の電界が生じていて、画像Ｐ１は輪郭部分が膨らんだ画像となっていたために、輪郭に沿った残像Ｐ２が発生する。この例では、白色を背景として、輪郭に沿って薄い黒色の残像Ｐ２が視認される。そのため、次の残像消去が必要になる。
【００６４】
図４（Ｃ）は、残像消去を行う場合を示している。輪郭の残像Ｐ２を消去するために、少なくとも画像Ｐ１の輪郭形成画素Ｒ３と背景境界画素Ｒ４とを含む画像を、背景色と同じ白色で表示する必要がある。このとき、輪郭形成画素Ｒ３に含まれる画素４０Ａと背景境界画素Ｒ４に含まれる画素４０Ｂも白色で表示される。右図において、画素４０Ａ、画素４０Ｂの画素電極３５Ａ（Ｖａ）、３５Ｂ（Ｖｂ）の電位はＶＬであり、負に帯電した白色粒子２７が共通電極３７側に引き寄せられる方向の電界が印加されている。そして、輪郭の残像Ｐ２が消去される。
【００６５】
なお、残像消去を行う必要があるのは部分駆動を行った場合だけである。全面駆動を行った場合には、全ての画素が駆動対象であり、斜め方向には電界が生じにくい。よって、全面駆動の場合には残像消去は不要である。
【００６６】
１．２．２．ＤＣバランス
残像消去は、文字、数字、図形等自体の表示、消去とは別の付随的な処理である。また、残像消去の工程において電界が印加される時間は、文字、数字、図形等自体の表示、消去と比べると短時間である。そのため、従来、残像消去についてＤＣバランスが考慮されることはなかった。
【００６７】
しかし、残像消去の対象となる画素の電極間では、残像消去によって一定の方向に電界が印加されることになる。そして、残像消去は文字、数字、図形等自体の表示に伴って繰り返されるため、使用され続けると印加電界の非対称性が大きくなる。よって、電気泳動表示装置の長期信頼性を確保するために、残像消去も含めてＤＣバランスをとる必要がある。そこで、残像消去によって生じた印加電界の非対称性を解消するために、以下の残像消去対称化を行う。
【００６８】
なお、図４（Ａ）の部分書き込みが行われた画素については、図４（Ｂ）の部分消去によってＤＣバランスがとられている。画素４０Ａを含めて黒色で表示された視覚表現形成画素は、部分消去によって白色で表示されている。このとき、視覚表現形成画素について電極間に印加される電界の時間平均はゼロとなりＤＣバランスがとられる。よって、非対称性を解消する必要があるのは、残像消去の工程において電界が印加された画素についてである。
【００６９】
１．２．３．残像消去対称化における問題
ここで、残像消去対称化において、ＤＣバランスをとる必要がある画素の情報は、画像信号として記憶部１６０（図１参照）から読み出される必要がある。残像消去対称化の工程においては、複数の視覚表現について行われた残像消去について、まとめて対称化する（ＤＣバランスをとる）ことが処理効率の観点から好ましい。しかし、ＤＣバランスをとる必要がある画素が視覚表現ごとに異なっている場合には、残像消去対称化において記憶部１６０に複数回アクセスして画像信号を取得する必要がある。このことは、電気泳動表示装置の応答速度を低下させ、消費電力を増大させる可能性がある。また、各視覚表現のＤＣバランスをとる必要がある画素を表すデータを全て記憶部に保存する必要があるので、大きな記憶容量の記憶部を要するというコスト上の問題が発生し得る。
【００７０】
本実施形態では、残像消去および残像消去対称化の工程において部分駆動の対象となる画素を固定化すること、すなわち固定画像を構成する画素を駆動することでこれらの問題を解決している。残像消去では固定画像を構成する画素を駆動することで輪郭に沿った残像の消去を行い、残像消去対称化でも固定画像を構成する画素を駆動することで印加電界の非対称性を解消する。すると、残像消去対称化の工程において、まとめて対称化する場合でも、１回だけ記憶部１６０にアクセスして、固定画像を表す画像信号を取得すればよい。これにより、電気泳動表示装置の応答速度は低下せず、データ転送により消費電力が増大することもない。また、１つの画像信号を保存しておけばよいので、大きな記憶容量の記憶部を必要とするわけではない。なお、残像消去における固定画像と残像消去対称化における固定画像では表示色は反転している。しかし、どちらの場合も駆動の対象となる画素は同じであり、両者を特に区別することなく固定画像と呼ぶものとする。
【００７１】
１．２．４．固定画像
このときの固定画像としては、表示される全ての視覚表現の輪郭形成画素と背景境界画素とを含む必要がある。輪郭形成画素と背景境界画素とは、残像として視認され得るからである。ここで、視覚表現によって輪郭形成画素と背景境界画素とは異なる。よって、固定画像としては表示される全ての視覚表現の輪郭形成画素と背景境界画素が含まれるような閉じた図形であることが考えられる。閉じた図形とは、外周で閉じた図形の意味であり、多角形（例えば四角形）や丸、楕円などの形状の図形も含む。また、固定画像は、表示される全ての視覚表現の輪郭形成画素と背景境界画素とを合成してできる画像であってもよい。合成とは、例えば各視覚表現の輪郭形成画素と背景境界画素に１を割り当て、その他の画素に０を割り当てて、全ての視覚表現について画素毎に論理和をとるような処理を意味する。このとき、固定画像は、視覚表現のすべての輪郭形成画素と背景境界画素の集合で表される画像となる。
【００７２】
図６（Ａ）〜図６（Ｇ）を用いて、固定画像の具体例について説明する。この例では、表示される全ての視覚表現は図６（Ａ）に示される数字（０〜９）であるとする。このとき、図６（Ｄ）〜図６（Ｇ）それぞれの黒で表された画像は固定画像の例を示す。なお、この例では、視覚表現が表示される所与の領域は、１２画素×１２画素の領域であるとする。
【００７３】
図６（Ｂ）は、全ての視覚表現（ここでは、図６（Ａ）の０〜９）の輪郭形成画素を合成した画像（黒色部分）である。そして、図６（Ｃ）は、全ての視覚表現の背景境界画素を合成した画像（斜線部分）である。なお、黒色部分は図６（Ｂ）と同じである。固定画像は、全ての視覚表現についての輪郭形成画素と背景境界画素とを含む必要があるため、図６（Ｂ）の黒色部分と図６（Ｃ）の斜線部分とを合成した図６（Ｄ）の画像（黒色部分）となる。図６（Ｄ）の画像が、この例における最小の固定画像となる。
【００７４】
また、固定画像は、外周および外周で閉じられた領域を単一色で表した閉じた図形であってもよい。したがって、図６（Ｅ）の黒色部分で表される画像であってもよい。また、固定画像は、四角などの単純な図形であってもよいから、図６（Ｆ）の黒色の長方形で表される画像であってもよい。また、図６（Ｇ）のように１２画素×１２画素の領域の全てを固定画像としてもよい。
【００７５】
図６（Ｄ）の場合には駆動する画素が最も少ない固定画像となる。図６（Ｅ）の場合には、外周の画素の情報さえ記憶すればよいので、図６（Ｄ）と比べて固定画像を記憶するためのデータ量を減らすことが可能である。図６（Ｆ）や図６（Ｇ）の場合には、頂点の画素の情報さえ記憶すればよいので、更にデータ量を減らすことが可能である。なお、図６（Ｇ）を用いる場合には、表示する視覚表現の一部が既知でない場合でも、残像消去および残像消去対称化を正しく実行することができる。
【００７６】
以下に残像消去も含めてＤＣバランスをとることが可能な本実施形態の電気泳動表示装置の駆動方法についてフローチャートを用いて説明する。残像消去および残像消去対称化の工程においては、例えば図６（Ｄ）〜図６（Ｇ）のいずれかの固定画像を用いることで、応答速度を低下せず、消費電力を増大させず、そのデータの保存に大きな記憶容量を要しない駆動方法を実現できる。本実施形態では、図６（Ｇ）のように、表示部の所与の領域全体を固定画像として用いるものとする。
【００７７】
１．２．５．メインルーチンのフローチャート
図７は、第１実施形態における電気泳動表示装置の駆動方法のフローチャートである。本実施形態にかかる電気泳動表示装置の駆動方法は、最初に部分書き換え工程Ｓ２を行う。部分書き換え工程Ｓ２は、電気泳動表示装置の表示部における所与の領域内で、部分駆動によって所与の視覚表現の書き換えを行う。部分書き換え工程Ｓ２は、残像消去が行われる残像消去工程を含む。
【００７８】
例えば、０〜９の数字が１２画素×１２画素の領域に部分駆動で書き換えられて、表示部のそれ以外の領域は全面駆動によってのみ書き換えられるとする。このとき、前記の所与の領域とは１２画素×１２画素の領域であり、所与の視覚表現とは０〜９の数字である。
【００７９】
部分書き換え工程Ｓ２は、所与の回数繰り返されてもよい（Ｓ４）。先の例では、０〜９が順に１度ずつ表示されるとすると、部分書き換え工程Ｓ２は１０回繰り返される。
【００８０】
その後、部分書き換え工程Ｓ２が含む残像消去工程によって生じた、ＤＣバランスの不均衡（印加電界の非対称性）を解消するために、非対称性解消工程Ｓ６が行われる。非対称性解消工程Ｓ６は、残像消去を行う残像消去工程とは逆の表示を行う残像消去対称化工程を含む。
【００８１】
例えば、第１色として黒を、第２色として白を表示可能な電気泳動表示装置において、残像消去として輪郭部分を含む画像を白で表示したとする。このとき、残像消去対称化工程では、同じ画像を黒で表示する操作を行う。なお、白を表示する場合と黒を表示する場合とでは、印加する電界の方向は正反対であり、電界が印加される時間は同じであるとする。
【００８２】
なお、所与の視覚表現が０〜９の数字である先の例では、部分書き換え工程Ｓ２は１０回繰り返される。このとき、残像消去対称化工程も輪郭部分を含む画像を黒で表示する処理を１０回繰り返すことになる。
【００８３】
非対称性解消工程Ｓ６の後に、電気泳動表示装置の表示についての終了命令の有無が判断されてもよい（Ｓ８）。表示を継続する場合には再びＳ２に戻り（Ｓ８Ｎ）、表示を終了する場合にはフローチャートの制御も終了する（Ｓ８Ｙ）。例えば、電子時計に用いられる電気泳動表示装置などでは表示が終了することはなく、再びＳ２〜Ｓ６の工程が繰り返される。
【００８４】
１．２．６．サブルーチンのフローチャート
１．２．６．１．部分書き換え工程
図８（Ａ）は、部分書き換え工程Ｓ２のサブルーチンを示すフローチャートである。本実施形態では、部分書き換え工程Ｓ２は、部分書き込み工程Ｓ２０、部分消去工程Ｓ２２、残像消去工程Ｓ２４を含む。
【００８５】
部分書き込み工程Ｓ２０は、表示部の所与の領域に所与の視覚表現を表示する。再び先の例を用いると、部分書き込み工程Ｓ２０では、１２画素×１２画素の領域（所与の領域）の全てが白色であるときに、部分駆動により黒色で例えば０の数字（所与の視覚表現）を表示する。
【００８６】
部分消去工程Ｓ２２は、部分書き込み工程Ｓ２０で書き込まれた所与の視覚表現を消去する。部分消去工程Ｓ２２では、例えば、部分駆動により白色で０の数字（所与の視覚表現）を表示することで消去を行う。なお、部分消去工程Ｓ２２は色を反転して同一の表示を行うことで、部分書き込み工程Ｓ２０との間でＤＣバランスをとっている。
【００８７】
残像消去工程Ｓ２４は、所与の視覚表現の輪郭部分の残像を消去する。残像消去工程Ｓ２４では、例えば、０の数字の輪郭を含む固定画像を部分駆動により白色で表示することで消去を行う。但し、残像消去工程Ｓ２４ではＤＣバランスがとれていないため、以下の非対称解消工程が必要になる。
【００８８】
１．２．６．２．非対称性解消工程
図８（Ｂ）は、非対称性解消工程Ｓ６のサブルーチンを示すフローチャートである。本実施形態では、非対称性解消工程Ｓ６は、第１全面書き込み工程Ｓ６０、残像消去対称化工程Ｓ６２、第２全面書き込み工程Ｓ６４を含む。
【００８９】
第１全面書き込み工程Ｓ６０では、表示部の全体を描画する全面駆動が行われる。そして、第１全面書き込み工程Ｓ６０は、表示部の所与の領域の全てを、部分書き換え工程Ｓ２で所与の視覚表現を表示するのに用いた色にする。
【００９０】
例えば、部分書き換え工程Ｓ２では、１２画素×１２画素の領域は白色であり、そこに０の数字を表示するのには黒色を用いていた。第１全面書き込み工程Ｓ６０は、全面駆動によって前記の１２画素×１２画素の領域（所与の領域）の全てを黒色にする。このことは、次に続く残像消去対称化工程Ｓ６２の準備としての意味を持つ。
【００９１】
残像消去対称化工程Ｓ６２は、残像消去工程Ｓ２４とＤＣバランスをとるため、残像消去工程Ｓ２４で部分駆動により白色で表示された固定画像に対して残像消去工程Ｓ２４とは逆の表示を行う。
【００９２】
例えば、残像消去対称化工程Ｓ６２は、残像消去工程Ｓ２４と同じ部分駆動によって、０の数字の輪郭を含む固定画像を黒色で表示することでＤＣバランスをとる。このとき、第１全面書き込み工程Ｓ６０により１２画素×１２画素の領域は黒色となっている。そのため、固定画像を黒色で表示してもユーザーに視認されるおそれはない。よって、ユーザーに故障との誤解を生じさせることもなく、残像消去工程Ｓ２４とＤＣバランスをとることが可能である。
【００９３】
なお、残像消去工程Ｓ２４が所与の回数繰り返された場合には（Ｓ４）、その全てに対してＤＣバランスをとることが必要であるため、残像消去対称化工程Ｓ６２においても対称化の処理が繰り返し行われる。例えば、０〜９の数字に対して残像消去工程Ｓ２４が行われていた場合には、０〜９の各数字の輪郭を含む固定画像を黒色で表示する処理が１０回繰り返される。しかし、本実施形態では、０〜９の数字に対して固定画像は共通であるため、固定画像を表す画像データをただ１度だけ記憶部から読み出せばよい。
【００９４】
第２全面書き込み工程Ｓ６４では、表示部の全体を描画する全面駆動が行われる。そして、第２全面書き込み工程Ｓ６４は、表示部の所与の領域の全てを、部分書き換え工程Ｓ２で所与の視覚表現を消去するのに用いた色にする。
【００９５】
例えば、部分書き換え工程Ｓ２では、１２画素×１２画素の領域は白色であり、表示された０の数字を消去するのには白色を用いていた。第２全面書き込み工程Ｓ６４では、全面駆動によって前記の１２画素×１２画素の領域（所与の領域）の全てを白色にする。このことは、次に続く部分書き換え工程Ｓ２の準備としての意味を持つ。
【００９６】
なお、第２全面書き込み工程Ｓ６４は第１全面書き込み工程Ｓ６０とＤＣバランスをとることが好ましい。よって、第２全面書き込み工程Ｓ６４による表示は、表示部の全体において、第１全面書き込み工程Ｓ６０による表示の白と黒を相互に交換した表示（反転表示）であることが好ましい。
【００９７】
図７、図８（Ａ）、図８（Ｂ）のフローチャートで示される電気泳動表示装置の駆動方法に従うことにより、ＤＣバランスをとりつつ画像の輪郭に沿った残像を消去する電気泳動表示装置の駆動方法が可能となる。このとき、残像消去工程Ｓ２４と残像消去対称化工程Ｓ６２で用いられる固定画像は全ての視覚表現について共通であるため、固定画像のデータをただ１度だけ記憶部から読み出せばよい。そのため、応答速度の低下や消費電力の増大を生じることなく、ＤＣバランスのとれた輪郭部分の残像消去を行う電気泳動表示装置の駆動方法が可能になる。
【００９８】
２．電子機器
本発明の第２実施形態について図９〜図１０を参照して説明する。なお、図１〜図８と同様の構成については、同一符号を付して説明を省略し、相違する部分について説明する。
【００９９】
前記の電気泳動表示装置１００は、様々な電子機器に適用され得る。
【０１００】
例えば、図９（Ａ）は電子機器の１つである腕時計１０００の正面図である。腕時計１０００は、時計ケース１００２と、時計ケース１００２に連結された一対のバンド１００３とを備える。時計ケース１００２の正面には、電気泳動表示装置１００からなる表示部１００４が設けられ、表示部１００４は時刻表示を含む表示１００５を行っている。時計ケースの側面には、２つの操作ボタン１０１１と１０１２とが設けられている。なお、操作ボタン１０１１、１０１２によって、表示１００５として時刻、カレンダー、アラームなど様々な表示形態が選択されてもよい。
【０１０１】
また、例えば図９（Ｂ）は電子機器の１つである電子ペーパー１１００の斜視図である。電子ペーパー１１００は可撓性を有し、電気泳動表示装置１００からなる表示領域１１０１と本体１１０２を備える。
【０１０２】
電気泳動表示装置１００を含む電子機器は、残像がないために電気泳動表示装置の視認性が向上し、ＤＣバランスがとられているために電気泳動表示装置の長期信頼性を得る。また、残像消去対称化を行うことによる応答速度の低下や消費電力の増大といった問題を生じることはない。
【０１０３】
２．１．電子時計
ここで、第２実施形態として、腕時計１０００を含む電子時計の実施形態について図１０を用いて説明する。また、第２実施形態の比較例について図１１を用いて説明する。
【０１０４】
２．１．１．本実施形態
図１０（Ａ）〜図１０（Ｊ）は本実施形態に係る電子時計の表示部５の表示例を示す。図１０（Ａ）〜図１０（Ｊ）では表示部５のうち時刻表示部分のみを抜き出している。また、領域５１は部分駆動が行われ得る領域を示す。図１０（Ａ）〜図１０（Ｊ）に示す実施例では領域５１は時刻表示の分桁の一桁目に対応するが、例えば分桁の十桁目も含めて領域５１としてもよいし、時刻表示全体を領域５１としてもよい。
【０１０５】
図１０（Ａ）〜図１０（Ｊ）の領域５１の拡大図（右図）において、灰色で示す部分は部分駆動の対象でない画素を示す。すなわち、領域５１の拡大図で黒色又は白色で表示された画素が部分駆動される。なお、図１０（Ａ）〜図１０（Ｊ）に付された工程番号は図７、図８（Ａ）、図８（Ｂ）のフローチャートの工程番号に対応する。
【０１０６】
図１０（Ａ）は、時刻が１２：００であることを示している。部分書き込み工程Ｓ２０が行われ、領域５１に黒色で分一桁として０が表示される。
【０１０７】
図１０（Ｂ）は、時刻が１２：００から１２：０１に変化する前に、部分消去工程Ｓ２２が行われ、図１０（Ａ）において領域５１に黒色で表示されていた０が消去されることを示す。
【０１０８】
図１０（Ｃ）は、残像消去工程Ｓ２４が行われ、領域５１に黒色で表示されていた０の輪郭部分の残像が消去されることを示す。このとき、残像消去には固定画像（図１０（Ｃ）右図の白色で表示された領域）が用いられ、その情報は記憶部１６０（図１参照）から画像信号として読み出されるものとする。
【０１０９】
その後、分桁の一桁目が１、２、３、…と変化し、９になるまで図１０（Ａ）〜図１０（Ｃ）と同じ工程が繰り返される。なお、図１０（Ｄ）〜図１０（Ｆ）は、それぞれ図１０（Ａ）〜図１０（Ｃ）で分桁の一桁目が９になった場合であるので説明は省略する。
【０１１０】
図１０（Ｇ）は、第１全面書き込み工程Ｓ６０が行われ、領域５１を黒色で表示していることを表す。このとき、時桁や区切り（：）や分桁の十桁は白色で表示されてもよい。
【０１１１】
図１０（Ｈ）は、図１０（Ｃ）の残像消去工程Ｓ２４とＤＣバランスをとるために、残像消去対称化工程Ｓ６２が行われることを示す図である。例えばコントローラー６３（図１参照）は記憶部１６０から固定画像の情報を読み出し、図１０（Ｃ）において白色で表示された０の輪郭を含む固定画像を、図１０（Ｈ）のように黒色で表示する。なお、図１０（Ｇ）により、領域５１の全面が背景色として黒色で表示されているので、残像消去対称化工程Ｓ６２による表示がユーザーに視認されることはない。つまり、黒色の背景色に対して黒色で固定画像を表示するので目につかない。
【０１１２】
その後、分桁の一桁目が１、２、３、…と変化したことに対応して、合わせて１０回、図１０（Ｈ）と同じ処理が繰り返される（図１０（Ｈ）〜図１０（Ｉ））。残像消去対称化工程Ｓ６２は、複数の残像消去工程Ｓ２４が行われた場合であっても、まとめて対称化の処理を行うことが可能であり、効率化を図ることができる。このとき、用いられる固定画像は共通であり、記憶部１６０から固定画像の情報を１度だけ読み出せばよい。そのため、記憶部１６０へのアクセスによる応答速度の低下や消費電力の増大が生じることはない。なお、図１０（Ｉ）は図１０（Ｈ）と同一の処理を行っており説明は省略する。
【０１１３】
図１０（Ｊ）は、第２全面書き込み工程Ｓ６４が行われ、領域５１を白色で表示していることを表す。このとき、図１０（Ｊ）における表示は図１０（Ｇ）の表示とＤＣバランスがとれるように、図１０（Ｇ）の表示を反転したものとなっている。
【０１１４】
なお、図１０（Ａ）〜図１０（Ｊ）の表示例においては、図１０（Ａ）と図１０（Ｂ）、図１０（Ｄ）と図１０（Ｅ）、図１０（Ｃ）と図１０（Ｈ）、図１０（Ｆ）と図１０（Ｉ）、図１０（Ｇ）と図１０（Ｊ）のペアでそれぞれＤＣバランスがとられている。
【０１１５】
２．１．２．比較例
図１１（Ａ）〜図１１（Ｊ）は比較例における電子時計の表示部５の表示例を示す。なお、本実施形態に係る電子時計（図１０（Ａ）〜図１０（Ｊ））との違いは、図１１（Ｃ）、図１１（Ｆ）、図１１（Ｈ）、図１１（Ｉ）のみであるので、これらの図についてのみ説明し、その他の重複する説明は省略する。
【０１１６】
図１１（Ｃ）は、比較例における電子時計で残像消去工程Ｓ２４が行われ、領域５１に表示されていた０の輪郭部分の残像が消去されることを示している。このとき、０の輪郭を形成している輪郭形成画素と背景境界画素の情報が記憶部１６０から読み出される。そして、０についての輪郭形成画素と背景境界画素とを含む画像を白色で表示することで残像消去を行う。
【０１１７】
その後、分桁の一桁目が１、２、３、…と変化し、９になるまで図１１（Ａ）〜図１１（Ｃ）と同じ工程が繰り返される。そして、図１１（Ｆ）は、分桁の一桁目が９の場合の残像消去工程であり、９の輪郭形成画素と背景境界画素の情報を記憶部１６０から読み出して、これらを含む画像を白色で表示することで残像消去を行う。図１１（Ｃ）や図１１（Ｆ）の残像消去工程Ｓ２４においては、表示した数字に対応した固有の輪郭形成画素等を記憶部１６０から読み出す必要がある。
【０１１８】
図１１（Ｈ）は、図１１（Ｃ）の残像消去工程Ｓ２４に対する残像消去対称化工程Ｓ６２が行われることを示す図である。図１１（Ｈ）では、例えばコントローラー６３が記憶部１６０から分桁の一桁目である０の輪郭形成画素と背景境界画素の情報を読み出し、これらを含む画像を黒色で表示してＤＣバランスをとる。その後、分桁の一桁目を１、２、３、…と変化させて、９になるまで同じ工程が繰り返される（図１１（Ｈ）〜図１１（Ｉ））。このとき、コントローラー６３は記憶部１６０から分桁の一桁目の数字に対応した固有の輪郭形成画素等の情報をそれぞれ読み出す必要がある。つまり、比較例の電子時計では、残像消去対称化工程Ｓ６２において１０回も記憶部１６０へアクセスする必要がある。そのため、応答速度の低下や消費電力の増大が生じる可能性がある。特に、電子時計においては、応答速度の低下はユーザーに表示の違和感を覚えさせ、消費電力の増大により電池の寿命が短くしてしまう可能性がある。
【０１１９】
第２実施形態に係る電子時計では、固定画像を用いて残像消去工程Ｓ２４と残像消去対称化工程Ｓ６２を行うことで、比較例において生じ得るこれらの問題を解決している。
【０１２０】
２．１．３．本実施形態の変形例
図１０（Ａ）〜図１０（Ｊ）の電子時計の例では、１０分毎に残像消去対称化工程Ｓ６２がおこなわれているが、例えば１日に１回だけ残像消去対称化工程Ｓ６２が行われてもよい。電子時計にとっては、時刻表示という基本機能とは関係のない残像消去対称化工程Ｓ６２を１日分まとめて行う方が処理の効率がよい。また、Ｓ６２を１時間に１回行ってもよい。
【０１２１】
また、例えば電源をオフするときに残像消去対称化工程Ｓ６２を行うことで、ＤＣバランスをとることが可能である。例えば、電子機器の１つである電子ペーパー１１００（図９（Ｂ）参照）の場合には、電源をオンしたときから累積されたアンバランス分を消去するために、電源をオフするときに残像消去対称化工程Ｓ６２を行うようにしてもよい。
【０１２２】
３．その他
前記の実施形態においては、電気泳動表示装置は、黒色粒子および白色粒子による白黒二粒子系の電気泳動が行われるものに限られず、青白等の一粒子系の電気泳動を行っても良く、また、白黒以外の組み合わせでも構わない。
【０１２３】
そして、電気泳動表示装置に限らず、メモリー性の表示手段に前記の駆動方法が適用されてもよい。例えば、ＥＣＤ（Electrochromic Display＝エレクトロクロミックディスプレイ）、強誘電性液晶ディスプレイ、コレステリック液晶ディスプレイ等である。
【０１２４】
さらに、前記の実施形態の電子時計は、腕時計に限らず、置き時計、掛け時計、懐中時計などの時計機能を有する機器に広く適用できる。
【０１２５】
これらの例示に限らず、本発明は、実施の形態で説明した構成と実質的に同一の構成（例えば、機能、方法および結果が同一の構成、あるいは目的および効果が同一の構成）を含む。また、本発明は、実施の形態で説明した構成の本質的でない部分を置き換えた構成を含む。また、本発明は、実施の形態で説明した構成と同一の作用効果を奏する構成又は同一の目的を達成することができる構成を含む。また、本発明は、実施の形態で説明した構成に公知技術を付加した構成を含む。
【符号の説明】
【０１２６】
５…表示部、６…制御部、２０…マイクロカプセル、２６…黒色粒子、２７…白色粒子、３０…素子基板、３１…対向基板、３２…電気泳動素子、３５…画素電極、３５Ａ…画素電極、３５Ｂ…画素電極、３７…共通電極、４０…画素、４０Ａ…画素、４０Ｂ…画素、４０Ｖ…画素、４０Ｗ…画素、４０Ｘ…画素、４０Ｙ…画素、４１…駆動用ＴＦＴ（Thin Film Transistor）、４９…低電位電源線（Ｖｓｓ）、５０…高電位電源線（Ｖｄｄ）、５１…領域、５５…共通電極配線（Ｖｃｏｍ）、６１…走査線駆動回路、６２…データ線駆動回路、６３…コントローラー、６４…共通電源変調回路、６６…走査線、６８…データ線、７０…ラッチ回路、８０…スイッチ回路、９１…第１のパルス信号線（Ｓ１）、９２…第２のパルス信号線（Ｓ２）、１００…電気泳動表示装置、１６０…記憶部、３５０…駆動電極層、３６０…電気泳動表示層、３７０…共通電極層、１０００…腕時計、１００２…時計ケース、１００３…バンド、１００４…表示部、１００５…表示、１０１１…操作ボタン、１０１２…操作ボタン、１１００…電子ペーパー、１１０１…表示領域、１１０２…本体
【図１】
0005516890.tif 000002
【図２】
0005516890.tif 000003
【図３】
0005516890.tif 000004
【図４】
0005516890.tif 000005
【図５】
0005516890.tif 000006
【図６】
0005516890.tif 000007
【図７】
0005516890.tif 000008
【図８】
0005516890.tif 000009
【図９】
0005516890.tif 000010
【図１０】
0005516890.tif 000011
【図１１】
0005516890.tif 000012